(57)【要約】 発音体として弦を備える楽器の鳴りをよくする。 発音体として機能する弦と、弦を支持する胴１１とを有する楽器において、胴１１から非対称に突出する角部１００Ｌおよび１００Ｒのうち剛性の高い角部１００Ｒの根本に、弦の振動に応じて胴１１に発生する振動を調整するための溝１２０Ａ、溝１２０Ｂおよび溝１３０を設ける。
2020022183.tif 000002
【特許請求の範囲】
【請求項１】
複数の弦と、
前記複数の弦を第１面で支持する胴と、を備え、
前記胴の前記第１面には、直線状に延びる溝が形成され、
前記溝は、幅及び深さが一定である楽器。
【請求項２】
前記溝は、前記複数の弦が延びる方向と交わる方向に直線状に延びる請求項１に記載の楽器。
【請求項３】
前記溝は、前記複数の弦の延びる方向と交わる方向における前記胴の振動を調整するために設けられる請求項１又は２に記載の楽器。
【請求項４】
前記複数の角部のうち他の角部よりも固有振動数が高い角部に、前記溝が設けられる請求項３に記載の楽器。
【請求項５】
前記固有振動数が他の角部よりも高い角部には、前記溝として、当該角部の突出方向に延びる溝と、当該突出方向と交わる方向に延びる溝の少なくとも一方が設けられる請求項４に記載の楽器。
【請求項６】
前記溝に挿入され、前記胴の前記溝以外の部分の剛性よりも高い剛性を有する第１部材をさらに備える請求項１又は２に記載の楽器。
【請求項７】
前記第１部材は、前記溝に挿入された部分が前記胴に固定される請求項６に記載の楽器。
【請求項８】
前記第１部材は、前記胴の前記溝以外の部分の剛性よりも高い剛性を有する、板状の第１剛性部を有する請求項６又は７に記載の楽器。
【請求項９】
前記第１部材は、さらに、前記第１剛性部よりも低い剛性を有する第２剛性部を有する請求項８に記載の楽器。
【請求項１０】
前記第１部材は、さらに、前記第２剛性部よりも高い剛性を有する、板状の第３剛性部を有する請求項９に記載の楽器。
【請求項１１】
前記第１部材が前記溝に挿入された状態において、前記第１剛性部及び前記第３剛性部は、前記溝の深さ方向において前記第２剛性部を両側から挟むように構成される請求項１０に記載の楽器。
【請求項１２】
前記第１部材が前記溝に挿入された状態において、前記第２剛性部の前記溝の深さ方向における長さは、前記第１剛性部及び前記第３剛性部の前記溝の深さ方向の長さよりも大きい請求項１１又は１２に記載の楽器。
【請求項１３】
前記第１剛性部は、炭素繊維強化プラスチックで構成される請求項８から１２のいずれかに記載の楽器。
【請求項１４】
前記第２剛性部は、木材で構成される請求項９から１３のいずれかに記載の楽器。
【請求項１５】
前記第３剛性部は、炭素繊維強化プラスチックで構成される請求項１０から１４のいずれかに記載の楽器。
【発明の詳細な説明】
【技術分野】
【０００１】
本開示は、発音体として弦を備える楽器に関する。
【背景技術】
【０００２】
ギターやバイオリンのように発音体の役割を果たす弦と弦を支持する胴とを有する楽器の演奏音の質を向上させる技術が種々提案されている。例えば、特許文献１には、ギターやバイオリンの胴板の内側に溝を設けることで、美しく響きのある音が奏でられるようにする技術が開示されている。以下では、楽器の演奏音を美しく響きのある音にすることを「楽器の鳴りをよくする」という。
【先行技術文献】
【特許文献】
【０００３】
【特許文献１】特開２００１−１５４６６２号公報
【発明の概要】
【発明が解決しようとする課題】
【０００４】
特許文献１に開示の技術は楽器の胴が中空であることが前提となっている。このため、中空ではない胴（すなわち、中実の胴）を有するエレキギターやエレキベースには適用することができない。【０００５】
本開示は以上に説明した課題に鑑みて為されたものであり、発音体として弦を備える楽器の鳴りをよくする技術を提供することを目的とする。
【課題を解決するための手段】
【０００６】
上記課題を解決するために本開示は、複数の弦と、前記複数の弦を第１面で支持する胴と、を備え、前記胴の前記第１面には、直線状に延びる溝が形成され、前記溝は、幅及び深さが一定である楽器、を提供する。【０００７】
より好ましい態様の楽器においては、前記溝は、前記複数の弦が延びる方向と交わる方向に直線状に延びる。
より好ましい態様の楽器において、前記溝は、前記複数の弦の延びる方向と交わる方向における前記胴の振動を調整するために設けられる。【０００８】
また、より好ましい態様の楽器において、前記複数の角部のうち他の角部よりも固有振動数が高い角部に、前記溝が設けられる。【０００９】
より好ましい態様の楽器においては、前記複数の角部のうち他の角部よりも固有振動数が高い角部に、前記溝が設けられる。
また、より好ましい態様の楽器においては、前記固有振動数が他の角部よりも高い角部には、前記溝として、当該角部の突出方向に延びる溝と、当該突出方向と交わる方向に延びる溝の少なくとも一方が設けられる。【００１０】
より好ましい態様の楽器においては、前記溝に挿入され、前記胴の前記溝以外の部分の剛性よりも高い剛性を有する第１部材をさらに備える。
より好ましい態様の楽器においては、前記第１部材は、前記溝に挿入された部分が前記胴に固定される。
より好ましい態様の楽器においては、前記第１部材は、前記胴の前記溝以外の部分の剛性よりも高い剛性を有する、板状の第１剛性部を有する。
また、より好ましい態様の楽器において、前記第１部材は、さらに、前記第１剛性部よりも低い剛性を有する第２剛性部を有する。
また、より好ましい態様の楽器において、前記第１部材は、さらに、前記第２剛性部よりも高い剛性を有する、板状の第３剛性部を有する。
また、より好ましい態様の楽器において、前記第１部材が前記溝に挿入された状態において、前記第１剛性部及び前記第３剛性部は、前記溝の深さ方向において前記第２剛性部を両側から挟むように構成される。
また、より好ましい態様の楽器において、前記第１部材が前記溝に挿入された状態において、前記第２剛性部の前記溝の深さ方向における長さは、前記第１剛性部及び前記第３剛性部の前記溝の深さ方向の長さよりも大きい。
より好ましい態様の楽器において、前記第１剛性部は、炭素繊維強化プラスチックで構成される。
より好ましい態様の楽器において、前記第２剛性部は、木材で構成される。
より好ましい態様の楽器において、前記第３剛性部は、炭素繊維強化プラスチックで構成される。
【図面の簡単な説明】
【００１１】
【図１】本開示の第１実施形態による楽器１０の外観を示す図である。
【図２】楽器１０の胴１１の平面図である。
【図３】溝１２０Ａ、溝１２０Ｂおよび溝１３０の設けられていない胴１１Ａの平面図である。
【図４】胴１１Ａの各部の振動の大きさをハッチングパターンで表現した模式図である。
【図５】胴１１の各部の振動の大きさをハッチングパターンで表現した模式図である。
【図６】溝１２０Ａ、溝１２０Ｂおよび溝１３０に代えて窪み部１４０を設けた胴１１の平面図である。
【図７】溝１２０Ａ、溝１２０Ｂおよび溝１３０に代えて直線上に並ぶ複数の小穴１５０を設けた胴１１Ｃの平面図である。
【図８】本開示の第２実施形態による楽器２１０の胴１１Ｄの外観を示す図である。
【図９】挿入部材２２５、２３５の斜視図である。
【図１０】挿入部材２２５，２３５の断面図である。
【発明を実施するための形態】
【００１２】
以下、図面を参照しつつ本開示の実施形態を説明する。（Ａ：実施形態）
図１は、本開示の第１実施形態による楽器１０の構成を示す図である。
本実施形態の楽器１０はエレキギターである。図１に示すように、楽器１０は、胴１１と、一端が胴１１に接続され他端がヘッド１３に接続された棹状のネック１２と、ヘッド１３とを有する。胴１１の表面（胴の向かい合う２つの面のうち、複数の弦を支持する面であり、第１面の一例）に設けられたブリッジ１４とヘッド１３との間には、発音体として機能する６本の弦が張設されている。以下では、弦の延びる方向をＹ方向と呼び、６本の弦の並ぶ方向をＸ方向或いは左右方向と呼ぶ。本実施形態の楽器１０は発音体として機能する弦を６本有しているが、本開示に係る楽器の有する弦の数は１〜５本であってもよく、また７本以上であってもよい。
【００１３】
ブリッジ１４には、弦の張力を変えて音高を変化させるためのトレモロレバー１５が設けられている。図１では詳細な図示を省略したが、ネック１２には、６本の弦を手指で押さえて弾くことで特定の音高の演奏音を奏でる際の押さえ位置の目安となる複数のフレットが設けられている。本実施形態の楽器１０においてネック１２に設けられるフレットの数は２０〜２３であるが、フレットの数は１９以下であってもよく、また２４以上であってもよい。また、ネック１２にフレットを設けない態様であってもよい。また、トレモロレバー１５がブリッジ１４に設けられていなくてもよい。
【００１４】
上記６本の弦は各々異なる太さを有し、細いものから太くなる順に１弦、２弦、３弦・・・６弦と呼ばれる。本実施形態の楽器１０において、１弦から６弦の各弦を手指で押さず、かつトレモロレバー１５を操作せずに弾いたときの演奏音の周波数は、それぞれ３３０Ｈｚ、２４７Ｈｚ、１９６Ｈｚ、１４７Ｈｚ、１１０Ｈｚ、８２Ｈｚであるが、これらの周波数に限定される訳ではない。楽器１０の演奏者が上記６本の弦の何れかをピックで弾くと、当該弦の張力および手指で押さえられた位置に応じて当該弦に発生した振動はピックアップ１６においてその振動波形を表す電気信号（以下、音信号）に変換される。ピックアップ１６から出力された音信号は胴１１に内蔵されたアンプによる増幅を経て外部スピーカユニットに与えられ、当該音信号に応じた音が外部スピーカユニットから出力される。図１では、アンプと外部スピーカユニットの図示は省略されている。
【００１５】
胴１１の表面には、ブリッジ１４の他にピックガード１７が設けられている。ピックガード１７は、樹脂または金属で形成された板状の部材である。ピックガード１７は、楽器１０を演奏する過程でピックが胴１１に触れる等することで胴１１に傷がつくことを防ぐために設けられている。ピックガード１７の表面には、ピックアップ１６、および音量レベルを調整する音量ボリューム１８が設けられている。音量ボリューム１８は、胴１１に内蔵されたアンプにおける音信号の増幅量を楽器１０の演奏者に指定させるための操作子である。胴１１に内蔵されたアンプは、ピックアップ１６から出力された音信号を音量ボリューム１８の回転角度に応じて増幅し、胴１１の側面のジャックに接続されたオーディオケーブルを介して外部スピーカユニットに出力する。図１では、胴１１の側面のジャックの図示は省略されている。
【００１６】
図２は、ピックガード１７を取り外した状態の胴１１の平面図である。
胴１１は木材或いは樹脂により形成された中実部材である。胴１１は、ネック１２を左右方向の中心としたときに非対称に突出する角部１００Ｒおよび角部１００Ｌを有する。図１および図２に示すように、本実施形態では、角部１００Ｌの方が角部１００Ｒよりも大きく突出している。また、胴１１には、ピックアップ１６から出力された音信号を増幅するアンプなどの電子回路を収納するための窪み部１１０Ａ、窪み部１１０Ｂおよび窪み部１１０Ｃが設けられている。
【００１７】
加えて、胴１１の表面には、角部１００Ｒの根本付近に、角部１００Ｒの突出方向（図２におけるα方向、すなわち、弦６が延びる方向であるＹ方向と交わる方向の一例）に延びる溝１２０Ａおよび溝１２０Ｂと、角部１００Ｒの突出方向と交わる方向（図２におけるβ方向、すなわち、弦６が延びる方向であるＹ方向と交わる方向の一例）に延びる溝１３０とが設けられている。以下では、溝１２０Ａと溝１２０Ｂを区別する必要がない場合には「溝１２０」と表記する。なお、溝１２０Ａ、１２０Ｂ及び１３０は、直線状に延びるように形成されており、溝１２０Ａ、１２０Ｂ及び１３０が直線状に延びる範囲にわたって幅及び深さが一定である。図２に示すように溝１３０の一方の端は窪み部１１０Ｂに達しており、他方の端は窪み部１１０Ｃに達している。また、溝１２０の２つの端のうちの一方は溝１３０に達している。つまり、溝１２０は溝１３０から分枝する溝である。本実施形態の特徴は、溝１２０および溝１３０を角部１００Ｒの根本付近に設けた点にある。溝１２０および溝１３０を角部１００Ｒの根本付近に設けた理由は次の通りである。
【００１８】
ピックで弾く等により弦に発生した振動はブリッジ１４を介して胴１１に伝わり、胴１１を振動させる。本願発明者は、弦の振動に応じて胴１１に発生する振動が楽器の演奏音に影響を与えることを実験により解明した。より詳細に説明すると、本願発明者は、胴１１と同じように角部１００Ｌおよび角部１００Ｒを有しかつ溝１２０および１３０の設けられていない胴１１Ａ（図３参照）について、弦の振動に応じて当該胴１１Ａに発生する振動に偏りがあることを実験により確かめた。ここで、「弦の振動に応じて胴に発生する振動に偏りがある」とは、胴の特定の部分については弦の振動に応じて大きく振動する一方、さほど振動しない部分もあるといったように、胴の部分毎に弦の振動に応じた振動の大きさが区々であることをいう。図４は、胴１１Ａに周波数３３１Ｈｚの振動を与えた場合の胴１１Ａの各部の振動の大きさをハッチングパターンで示した模式図である。なお、図４では、窪み部１１０Ａ、窪み部１１０Ｂおよび窪み部１１０Ｃとブリッジ１４の輪郭が点線で描画されている。図４では最も振動の大きい部分には網掛けのハッチングが、次に振動が大きい部分には縦線のハッチングが、その次に振動が大きい部分には斜め線のハッチングがそれぞれ付されている。そして、図４では、ほとんど振動しない部分にはハッチングは付されていない。
【００１９】
図４を参照すれば明らかなように、胴１１Ａに周波数３３１Ｈｚの振動を与えると、角部１００Ｌは角部１００Ｒに比較して大きく振動していることが判る。なお、胴１１Ａに周波数３４６Ｈｚの振動を与えた場合には、図４に示す例とは逆に角部１００Ｒの方が角部１００Ｌよりも大きく振動することが判った。これらの実験結果からは、角部１００Ｒと角部１００Ｌとでは基本モードの周波数（固有振動数）が異なり、角部１００Ｒの固有振動数の方が角部１００Ｌの固有振動数よりも高くなっていることが判る。
【００２０】
本願発明者は、胴１１Ａにおける角部１００Ｒと角部１００Ｌの固有振動の相違を、胴１１Ａの形状の非対称性に起因する両角部の撓み剛性（以下、単に「剛性」）の相違、すなわち角部１００Ｒの方が角部１００Ｌよりも剛性が高いことによるものと考えた。弦と弦を支持する胴とを有する楽器の鳴りをよくするには、弦の振動に応じて胴全体が偏りなく振動することが好ましい。そこで、本願発明者は、角部１００Ｒの剛性を低くして固有振動数を引き下げるために、角部１００Ｒの根本付近に溝１２０および溝１３０を設けることに想い至った。
【００２１】
図５は、胴１１に周波数３３１Ｈｚの振動を与えた場合の胴１１Ａの各部の振動の大きさをハッチングパターンで示した模式図である。図５においても、図４と同様に振動の大きさがハッチングパターンで表されており、窪み部１１０Ａ、窪み部１１０Ｂ、および窪み部１１０Ｃとブリッジ１４の輪郭が点線で描画されている。なお、図５では、図面が煩雑になることを避けるため、溝１２０Ａ、溝１２０Ｂおよび溝１３０の輪郭線の描画は省略されている。図５を参照すれば明らかなように、胴１１に周波数３３１Ｈｚの振動を与えたときの角部１００Ｌの振動と角部１００Ｒの振動の大きさは略同等になっている。これは、角部１００Ｒの剛性が低下し固有振動数が角部１００Ｌの固有振動数程度まで低下したことを意味する。角部１００Ｒの固有振動数と角部１００Ｌの固有振動数とが同等であれば、より高い周波数においても角部１００Ｌと角部１００Ｒは同等に振動すること、すなわち角部１００Ｒと角部１００Ｌの振動特性が揃うことが期待される。
【００２２】
角部１００Ｒの剛性を引き下げることは、図６に示す胴１１Ｂのように窪み部１１０Ａ〜１１０Ｃと同様の窪み部１４０を角部１００Ｒに設けることでも実現可能であるかに見える。しかし、図６に示すように角部１００Ｒに窪み部１４０を設けた胴１１Ｂでは、角部１００Ｒの質量が低下し、固有振動数の上昇を招いてしまう。したがって、図２に示すように溝１２０および１３０を角部１００Ｒの根本付近に設けることが好ましい。
【００２３】
以上説明したように、本実施形態によれば、非対称に突出する角部１００Ｒおよび角部１００Ｌのうちの剛性が高い方の根本に溝１２０および溝１３０を設けることで、胴１１の左右方向の振動特性が揃い、弦の振動に応じて胴１１全体が偏りなく振動する。胴１１の左右方向の振動特性が揃うとは、胴１１の左右方向の各部において基本モードの固有振動数と振動の大きさ（すなわち、振幅）が略同等になることをいう。胴１１の左右方向の振動特性が揃う結果、溝１２０および溝１３０を設けない場合に比較して楽器の鳴りがよくなる。つまり、本実施形態によれば、発音体として機能する弦と弦を支持する胴とを有する楽器の鳴りをよくすることが可能になる。また、ピックガード１７を胴１１に装着した状態では、溝１２０および溝１３０はピックガード１７によって覆い隠されて見えなくなる。したがって、溝１２０および溝１３０を胴１１に設けても楽器１０の外観に影響は生じない。ロック歌手のようなエレキギターの演奏者は、楽器の鳴りがよいことに加えて、ステージ映えの観点から楽器の外観のよさを求めることが多い。本実施形態によれば、楽器１０の外観に影響は生じないので、鳴りの良さに加えて外観のよさを求める演奏者のニーズに応えることができる。このように、本実施形態によれば、発音体として機能する弦と弦を支持する胴とを有する楽器の外観に影響が生じることを回避しつつ、楽器の鳴りをよくすることが可能になる。
【００２４】
次に、本開示の第２実施形態について説明する。なお、第２実施形態の楽器２１０において、第１実施形態と同じ構成については、第１実施形態と同じ符号を用い、その説明は省略する。また、楽器２１０においては、ヘッド、ネック、ブリッジ、弦、トレモロレバー、ピックアップ、ピックガード及び音量ボリュームは、第１実施形態と同じである。
【００２５】
本実施形態の胴１１Ｄの表面には、２つの溝２２０、２３０が形成されている。２つの溝２２０、２３０は、弦の並ぶ方向、つまりＸ方向に直線状に延びている。溝２２０は、ブリッジ１４から離間した位置に形成され、溝２３０は、溝２２０から離間した位置に、溝２２０と平行になるように形成されている。溝２２０のＸ方向の長さは、ブリッジ１４のＸ方向の長さよりも長く、溝２３０のＸ方向の長さは、例えば、５０ｍｍから６０ｍｍであり、溝２２０のＸ方向の長さよりも長い。なお、溝２２０、２３０が延びる方向はＸ方向以外の方向でも良く、例えば、弦が延びる方向と交わる方向でも良い。また、溝２２０と溝２３０のＸ方向の長さは同じでも良いし、溝２２０のＸ方向の長さが、溝２３０のＸ方向の長さよりも長くても良い。
溝２２０、２３０は、直線状に延びる範囲にわたって幅及び深さが一定であり、溝２２０と溝２３０の幅及び深さは同じである。なお、溝２２０と溝２３０の幅及び深さのうちの少なくとも１つを互いに異なるものとしても良い。
【００２６】
また、溝２２０、２３０には、挿入部材２２５、２３５がそれぞれ挿入される。挿入部材２２５（第１部材の一例）は、図９に示すように、カーボンプレート２２６（第１剛性部の一例）、マホガニー材２２７（第２剛性部の一例）及びカーボンプレート２２８（第３剛性部の一例）有している。カーボンプレート２２６、２２８は、板状の炭素繊維強化プラスチック（ＣＦＲＰ：ｃａｒｂｏｎ  ｆｉｂｅｒ  ｒｅｉｎｆｏｒｃｅｄ  ｐｌａｓｔｉｃ）であり、マホガニー材２２７の表面及びこれと向かい合う裏面に、接着剤によって固定されている。また、挿入部材２３５（第１部材の一例）も同様に、板状の炭素繊維強化プラスチックのカーボンプレート２３６（第１剛性部の一例）、２３８（第３剛性部の一例）が、マホガニー材２３７（第２剛性部の一例）の表面及び裏面に、接着剤によって固定されている。挿入部材２２５、２３５の幅、長さ及び厚さ（溝２２０、２３０の深さ方向に対応する長さ）は、溝２２０、２３０の幅、長さ及び深さと略同じか、わずかに小さくなるように形成される。例えば、挿入部材２３５の長手方向の長さは、５０ｍｍから６０ｍｍ程度であり、挿入部材２２５の長手方向の長さよりも長い。また、カーボンプレート２２６，２２８，２３６，２３８の厚さは、例えば２ｍｍから３ｍｍであり、マホガニー材２２７、２３７の厚さ（表面から裏面までの距離）は、例えば、３０ｍｍ程度である。
【００２７】
図８及び図１０に示すように、挿入部材２２５、２３５は、溝２２０、２３０に挿入され、挿入された部分が接着剤によって胴１１Ｄに固定され、胴１１Ｄと一体化される。すなわち、挿入部材２２５、２３５は、胴１１Ｄの一部として、胴１１Ｄと一体となって振動する。ここで、図１０に示すように、挿入部材２２５、２３５が溝２２０、２３０に挿入され、胴１１Ｄに固定された状態において、カーボンプレート２２６、２３６の表面が、溝２２０、２３０の深さ方向において、胴１１Ｄの表面と同じ位置とされている。これにより、カーボンプレート２２６、２３６は、胴１１Ｄの表面と一体的に振動することになる。また、カーボンプレート２２８、２３８は、溝２２０、２３０の深さ方向において、胴１１Ｄの裏面と近い位置とされている。これにより、カーボンプレート２２８、２３８は、胴１１Ｄの裏面と一体的に振動することになる。カーボンプレート２２６、２２８、２３６、２３８を構成する炭素繊維強化プラスチックは、胴１１Ｄを構成する木材又は樹脂に比べて著しく剛性が高い特性を有している。従って、胴１１Ｄにおいて、溝２２０、２３０が形成され、挿入部材２２５、２３５が配置された部分の剛性は、胴１１Ｄにおける他の部分の剛性よりも高いものとなる。このように、胴１１Ｄの一部の剛性を他の部分よりも高くすることにより、胴１１Ｄの振動特性をコントロールすることができるため、発音体として機能する弦と弦を支持する胴とを有する楽器の鳴りを良くすることが可能となる。なお、胴１１Ｄにおける溝２２０、２３０を形成する位置、溝の長さ、幅及び深さは、適宜変更することができる。また、カーボンプレート２２６、２２８のうちの一方だけを用いることも可能である。
また、本実施形態においては、挿入部材２２５、２３５の長さ、幅及び厚さを、溝２２０、２３０の長さ、幅及び深さと略同じか、わずかに小さいものとしたが、挿入部材を胴に一体化させ、胴の振動特性をコントロールすることが可能であれば、溝の長さ、幅及び深さに対して、挿入部材の長さ、幅及び深さを小さくすることも可能である。例えば、図８において、窪み部１１０Ｃ内に挿入部材を挿入し、窪み部１１０Ｃの底部に挿入部材を固定させて、胴の窪み部１１０Ｃの振動特定をコントロールしても良い。
また、挿入部材の長さ及び幅を、溝の長さ及び幅よりもわずかに大きく形成し、挿入部材を溝内に圧入させて、挿入部材を胴と一体化させても良い。
また、本実施形態においては、挿入部材を構成する素材として、カーボンプレート及びマホガニー材を用いたが、これに限られず、挿入部材の剛性が胴の剛性よりも高くなるような素材を選択することができる。例えば、挿入部材を構成する素材として、胴を構成する木材又は樹脂よりも剛性の高い金属等を用いることができる。
【００２８】
（Ｂ：その他の実施形態）
以上、本開示の一実施形態について説明したが、上記実施形態以外にも以下の実施形態が考えられる。（１）上記実施形態では、溝１２０および溝１３０は、ピックガード１７を胴１１に装着した状態において当該ピックガード１７により覆い隠されるように設けられていた。しかし、溝１２０および溝１３０がピックガード１７により覆い隠されることは必須ではない。ピックガード１７を胴１１に装着した状態において溝１２０或いは溝１３０の一部がピックガード１７からはみ出して露出してもよい。胴１１の平面形状の輪郭は溝１２０および１３０を設けない場合と同じであるため、溝１２０或いは溝１３０の一部または全部が露出していたとしても、胴１１を有する楽器の外観に与える影響は小さいからである。
【００２９】
（２）上記実施形態における溝１３０の一端は窪み部１１０Ｂに達しており、他端は窪み部１１０Ｃに達していた。しかし、溝１３０の一端が窪み部１１０Ｂに達していることは必須ではなく、他端が窪み部１１０Ｃに達していることも必須ではない。溝１２０についても、その一端が溝１３０に達していること、すなわち溝１３０から分枝する溝であることは必須ではない。要は、溝を長くすることにより失われる角部１００Ｒの質量と、角部１００Ｒの剛性の引き下げ量（角部１００Ｒの固有振動数の引き下げ量）とを考慮しつつ、胴１１の左右方向の振動特性が揃うように溝１２０および溝１３０の長さを定めるようにすればよい。溝１２０および溝１３０の幅、溝１２０および溝１３０の深さについても同様である。また、溝１２０および溝１３０は直線状に延びていたが、曲線状に延びていてもよい。また、溝１２０および溝１３０の深さ或いは幅が一様である必要はなく、各々の延びる方向に沿って深さが変化してもよい。溝１２０および溝１３０の各々の形状、長さ、幅および深さは、胴１１の左右方向の振動特性を揃えるという目的を達成できる範囲で任意である。
【００３０】
（３）上記実施形態の胴１１には、非対称に突出する角部１００Ｌおよび角部１００Ｒのうちの剛性の高い方の根本付近に当該剛性の高い方の角部（固有振動数の高い方の角部）の突出方向に延びる溝１２０Ａおよび溝１２０Ｂと当該突出方向と交わる方向に延びる溝１３０が設けられていた。しかし、溝１２０は１本であってもよく、また３本以上であってもよい。溝１２０の数が多いほど、角部の剛性の引き下げ量は大きくなるので、溝１２０の数を増やすことにより失われる角部の質量と、当該角部についての剛性の引き下げ量とを考慮しつつ、胴１１の左右方向の振動特性が揃うように溝１２０の数を定めるようにすればよい。同様に複数本の溝１３０を剛性の高い方の角部の根本付近に設けてもよい。溝１２０および溝１３０の数は、胴１１の左右方向の振動特性を揃えるという目的を達成できる範囲で任意である。
【００３１】
また、上記実施形態では、溝１２０と溝１３０の両方を剛性の高い方の角部の根本付近に設けたが、溝１２０と溝１３０の何れか一方を設けてもよい。また、剛性の高い方の角部の根本には溝１２０と溝１３０の両方を設け、剛性の低い方の角部の根本には溝１２０と溝１３０の何れか一方を設けるようにしてもよい。このような態様によれば、剛性の高い方の角部の根本のみに溝を設ける態様に比較して胴１１の左右方向の振動特性の微調整が可能になる。要は、溝を設けることにより失われる角部の質量と、当該角部についての剛性の引き下げ量とを考慮しつつ、胴１１の左右方向の振動特性が揃うように各角部の根本付近に設ける溝の種類および数、すなわち、溝の配置、を定めるようにすればよい。
【００３２】
（４）上記実施形態の胴１１は、非対称に突出する２との角部を有していた。しかし、弦と、弦を支持する胴であって非対称に突出する角部を３つ以上有する胴と、を備えた楽器に本開示を適用してもよい。この場合、弦の延びる方向と交わる方向における当該胴全体の振動特性が揃うように、複数の角部のうち最も剛性の高い角部の根本付近に当該角部の剛性を引き下げるための溝を設けるとともに、１または複数の他の角部の根本付近にも当該他の角部の剛性を引き下げるための溝を設けてもよい。本態様によれば、弦と、弦を支持する胴であって非対称に突出する角部を３つ以上有する胴と、を備えた楽器の鳴りをよくすることが可能になる。
【００３３】
（５）上記実施形態では、弦の延びる方向と交わる方向における胴１１の振動を調整するため、すなわち、弦の延びる方向と交わる方向における胴の局所的な剛性を調整するために、溝（換言すれば、溝状に延びる穴）を胴１１に設けた。しかし、溝状に延びる穴に代えて、図７に示すように直線上に並ぶ複数の小穴１５０を設けることで胴１１Ｃの局所的な剛性を調整してもよい。直線上に並ぶ複数の小穴を設けることによっても、質量の大幅な減少を避けつつ、胴１１Ｃの局所的な剛性を引き下げることができると考えられるからである。要は、溝状に延びる穴であるか直線上に並ぶ複数の小穴であるかを問わず、弦の振動に応じて当該弦を支持する胴に発生する振動を調整するための穴を当該胴の一部に設けることで、弦の延びる方向と交わる方向における当該胴の振動を調整する態様であればよい。
【００３４】
（７）上記実施形態ではエレキギターへの本開示の適用例を説明したが、エレエレキベースへの適用も可能である。また、本開示の適用対象の楽器は、エレキギターやエレキベースなどの電子楽器には限定されず、琴などの電子楽器以外の楽器への適用も可能である。要は、発音体として機能する弦と弦を支持する胴とを有する楽器であれば、非対称に突出する複数の角部を有するか否かなど胴の形状を問わずに本開示の適用が可能である。発音体として機能する弦を支持する胴が木材など天然素材で形成されている場合には、対称形状に胴が形成されている場合であっても、素材の不均一さに起因して胴の剛性が不均一になり得るが、本開示を適用することで鳴りをよくすることができるからである。
【符号の説明】
【００３５】
１０…楽器、１１，１１Ａ、１１Ｂ、１１Ｃ…胴、１２…ネック、１３…ヘッド、１４…ブリッジ、１５…トレモロレバー、１６…ピックアップ、１７…ピックガード、１８…音量ボリューム、１００Ｒ、１００Ｌ…角部、１１０Ａ、１１０Ｂ、１１０Ｃ、１４０…窪み部、１２０，１２０Ａ、１２０Ｂ、１３０…溝、１５０…小穴。
【図１】
2020022183.tif 000003
【図２】
2020022183.tif 000004
【図３】
2020022183.tif 000005
【図４】
2020022183.tif 000006
【図５】
2020022183.tif 000007
【図６】
2020022183.tif 000008
【図７】
2020022183.tif 000009
【図８】
2020022183.tif 000010
【図９】
2020022183.tif 000011
【図１０】
2020022183.tif 000012
【国際調査報告】
2020022183.tif 000013
2020022183.tif 000014
2020022183.tif 000015
2020022183.tif 000016